(57)【要約】  筐体内の半導体モジュールおよび電子部品を冷却する半導体装置の提供を目的とする。半導体装置は、フィンと板状のベース部とを含み、ベース部の一方面には半導体モジュールが設けられ、他方面にはフィンが設けられるヒートシンクと、ベース部の一方面と半導体モジュールと電子部品と回路基板とを覆ってベース部に取り付けられ、一方面との間に半導体モジュールを収容する筐体と、フィンを冷却するファンと、それぞれが筐体内外を連通する第１通気口と第２通気口とを備える。第１通気口は、筐体内の回路基板の一面に実装された電子部品の回路基板からの高さが最も高い部分の半分の高さよりも上部に設けられる。第２通気口は、筐体内におけるベース部の一方面と他方面とを貫通してなる。第１通気口と第２通気口とは、風路を筐体内に形成する。回路基板の一面における冷却風の風速は、電子部品上における冷却風の風速よりも小さい。
2019111755.tif 000002
【特許請求の範囲】
【請求項１】
一端から他端に第１冷却風が流れる第１風路を形成するフィンと板状の形状を有するベース部とを含み、前記ベース部の一方面には半導体モジュールが設けられ、他方面には前記フィンが立てて設けられるヒートシンクと、
前記ベース部の前記一方面と、前記半導体モジュールと、前記半導体モジュールに関連して動作する電子部品と、前記電子部品が実装された回路基板と、を覆って前記ヒートシンクの前記ベース部に取り付けられ、前記一方面との間に形成される空間に前記半導体モジュールを収容する筐体と、
前記第１風路に前記第１冷却風を送風し、前記フィンを冷却するファンと、
前記筐体内と前記筐体外とを連通し、前記筐体内に第２冷却風を取り込む第１通気口と、
前記筐体内と前記筐体外とを連通し、前記筐体内に取り込まれた前記第２冷却風を前記筐体外に排気する第２通気口と、を備え、
前記第１通気口は、前記筐体内の前記回路基板の一面に実装された前記電子部品の前記回路基板からの高さが最も高い部分の半分の高さよりも上部に設けられ、
前記第２通気口は、前記筐体内における前記ベース部の前記一方面と前記他方面とを貫通してなり、
前記第１通気口と前記第２通気口とは、前記第１冷却風の流れに起因して前記第２通気口に形成される前記筐体内と前記筐体外との圧力差によって、前記第２冷却風が前記第１通気口から取り込まれ前記第２通気口から前記筐体外に排気される第２風路を前記筐体内に形成し、
前記回路基板の前記一面における前記第２冷却風の風速は、前記電子部品上における前記第２冷却風の風速よりも小さい、半導体装置。
【請求項２】
前記第２通気口は、前記最も高い前記電子部品の前記半分の高さよりも上部に設けられる、請求項１に記載の半導体装置。
【請求項３】
前記第１通気口は、前記筐体に設けられ、
前記ベース部は、前記板状の形状をなす一辺の少なくとも一部に、前記一方面と前記他方面とを貫通する切欠き部を含み、
前記切欠き部が設けられる前記一辺は、前記フィンの前記他端側に位置し、
前記第２通気口は、前記切欠き部の少なくとも一部を含む請求項１または請求項２に記載の半導体装置。
【請求項４】
前記ベース部は、前記板状の形状をなす第１辺の少なくとも一部を含んで前記一方面に設けられる段差部と、前記板状の形状をなす第２辺の少なくとも一部に前記一方面と前記他方面とを貫通する切欠き部と、を含み、
前記段差部が設けられる前記第１辺は、前記フィンの前記一端側に位置し、
前記切欠き部が設けられる前記第２辺は、前記フィンの前記他端側に位置し、
前記第１通気口は、前記段差部の少なくとも一部を含み、
前記第２通気口は、前記切欠き部の少なくとも一部を含む請求項１または請求項２に記載の半導体装置。
【請求項５】
前記ファンは、前記フィンの前記一端側に設けられ、前記一端側から前記他端側に風を送り出すことにより前記第１冷却風を送風する請求項１から請求項４のいずれか一項に記載の半導体装置。
【請求項６】
前記ファンは、前記ファンの上端部が前記ベース部の前記他方面により規定される面よりも下方に位置するよう設けられる請求項５に記載の半導体装置。
【請求項７】
前記ファンは、前記フィンの前記他端側に設けられ、前記一端側から前記他端側に風を吸い込むことにより前記第１冷却風を送風する請求項１から請求項４のいずれか一項に記載の半導体装置。
【請求項８】
前記筐体内に形成される前記第２風路に設けられ、前記電子部品を冷却する電子部品用ヒートシンクをさらに備える請求項１から請求項７のいずれか一項に記載の半導体装置。
【請求項９】
一端から他端に第１冷却風が流れる第１風路を形成するフィンと板状の形状を有するベース部とを含み、前記ベース部の一方面には半導体モジュールが設けられ、他方面には前記フィンが立てて設けられるヒートシンクと、
前記ベース部の前記一方面と、前記半導体モジュールと、前記半導体モジュールに関連して動作する電子部品と、前記電子部品が実装された回路基板と、を覆って前記ヒートシンクの前記ベース部に取り付けられ、前記一方面との間に形成される空間に前記半導体モジュールを収容する筐体と、
前記第１風路に前記第１冷却風を送風し、前記フィンを冷却するファンと、
前記筐体内と前記筐体外とを連通し、前記筐体内に第２冷却風を取り込む第１通気口と、
前記筐体内と前記筐体外とを連通し、前記筐体内に取り込まれた前記第２冷却風を前記筐体外に排気する第２通気口と、を備え、
前記ファンは、前記第２冷却風を前記第１通気口に向けてさらに送風し、
前記第１通気口と前記第２通気口とは、前記ファンが前記第２冷却風を前記第１通気口に向けて送風することにより、前記第２冷却風が前記第１通気口から取り込まれ前記第２通気口から前記筐体外に排気される第２風路を前記筐体内に形成する半導体装置。
【請求項１０】
前記第１通気口は、前記筐体内の前記回路基板の一面に実装された前記電子部品の前記回路基板からの高さが最も高い部分の半分の高さよりも上部に設けられ、
前記回路基板の前記一面における前記第２冷却風の風速は、前記電子部品上における前記第２冷却風の風速よりも小さい、請求項９に記載の半導体装置。
【請求項１１】
前記第２通気口は、前記最も高い前記電子部品の前記半分の高さよりも上部に設けられる、請求項１０に記載の半導体装置。
【請求項１２】
前記ベース部は、前記板状の形状をなす第１辺の少なくとも一部を含んで前記一方面に設けられる段差部と、前記板状の形状をなす第２辺の少なくとも一部に前記一方面と前記他方面とを貫通する切欠き部と、を含み、
前記段差部が設けられる前記第１辺は、前記フィンの前記一端側に位置し、
前記切欠き部が設けられる前記第２辺は、前記フィンの前記他端側に位置し、
前記第１通気口は、前記段差部の少なくとも一部を含み、
前記第２通気口は、前記切欠き部の少なくとも一部を含み、
前記ファンは、前記フィンの前記一端側に、かつ、前記ファンの上端部が前記ベース部の前記段差部の底面により規定される面よりも上方に位置するよう設けられる請求項９から請求項１１のいずれか一項に記載の半導体装置。
【請求項１３】
前記筐体内に形成される前記第２風路に設けられ、前記電子部品を冷却する電子部品用ヒートシンクをさらに備える請求項９から請求項１２のいずれか一項に記載の半導体装置。
【発明の詳細な説明】
【技術分野】
【０００１】
本発明は、半導体装置に関するものであり、特に、筺体に覆われた発熱部品の冷却技術に関する。
【背景技術】
【０００２】
発熱部品である電力半導体装置の放熱は、ヒートシンクおよびファン等によって設計される。例えば、電力半導体装置は、電力半導体素子の一方の面に、ベース部とフィンからなるヒートシンクがネジ留めされた構成を有する。電力半導体素子にて発生する熱は、ヒートシンクのフィンに、ファン等によって生成される冷却風が通風されることで放熱される。しかし、ヒートシンクに取り付けられていない部品の冷却効果は、ヒートシンクに取り付けられた電力半導体素子の冷却効果よりも小さい。また、それらの部品が電力半導体素子にて発生した熱を受熱し、過熱される課題がある。【０００３】
特許文献１には、発熱部品を搭載したベース部を貫通する貫通孔が設けられた電子機器装置が開示されている。貫通孔によって、通風を滞らせる部品による空気溜まりが解消し、冷却効果が向上している。
【先行技術文献】
【特許文献】
【０００４】
【特許文献１】特開２０１４−１６５４０９号公報
【発明の概要】
【発明が解決しようとする課題】
【０００５】
特許文献１に記載の電子機器装置においては、冷却風が流れる風路が形成されておらず、ベース部に取り付けられた発熱部品以外の発熱部品が冷却されない。【０００６】
本発明は、上記の問題点を解決するためになされたものであり、筐体内に風路を形成し、ヒートシンクに取り付けられた半導体モジュールだけでなく、筐体内に設けられる電子部品も冷却することが可能な半導体装置の提供を目的とする。
【課題を解決するための手段】
【０００７】
本発明に係る半導体装置は、一端から他端に第１冷却風が流れる第１風路を形成するフィンと板状の形状を有するベース部とを含み、ベース部の一方面には半導体モジュールが設けられ、他方面にはフィンが立てて設けられるヒートシンクと、ベース部の一方面と、半導体モジュールと、半導体モジュールと関連して動作する電子部品と、電子部品が実装された回路基板と、を覆ってヒートシンクのベース部に取り付けられ、一方面との間に形成される空間に半導体モジュールを収容する筐体と、第１風路に第１冷却風を送風し、フィンを冷却するファンと、筐体内と筐体外とを連通し、筐体内に第２冷却風を取り込む第１通気口と、筐体内と筐体外とを連通し、筐体内に取り込まれた第２冷却風を筐体外に排気する第２通気口と、を含む。第１通気口は、筐体内の回路基板の一面に実装された電子部品の回路基板からの高さが最も高い部分の半分の高さよりも上部に設けられる。第２通気口は、筐体内におけるベース部の一方面と他方面とを貫通してなる。第１通気口と第２通気口とは、第１冷却風の流れに起因して第２通気口に形成される筐体内と筐体外との圧力差によって、第２冷却風が第１通気口から取り込まれ第２通気口から筐体外に排気される第２風路を筐体内に形成する。回路基板の一面における第２冷却風の風速は、電子部品上における第２冷却風の風速よりも小さい。
【発明の効果】
【０００８】
本発明によれば、筐体内に風路を形成し、ヒートシンクに取り付けられた半導体モジュールだけでなく、筐体内に設けられる電子部品も冷却する半導体装置の提供が可能である。【０００９】
本発明の目的、特徴、局面、および利点は、以下の詳細な説明と添付図面とによって、より明白になる。
【図面の簡単な説明】
【００１０】
【図１】実施の形態１における半導体装置の構成を示す斜視図である。
【図２】実施の形態１における半導体装置の構成を示す断面図である。
【図３】実施の形態１における半導体装置が含むヒートシンクの構成を示す斜視図である。
【図４】実施の形態１における半導体装置の内部および外部の送風時の圧力分布を示す図である。
【図５】実施の形態１における半導体装置の内部および外部の送風時の流速分布を示す図である。
【図６】実施の形態１における半導体装置の内部および外部の送風時の温度分布を示す図である。
【図７】実施の形態１の変形例１における半導体装置の構成を示す断面図である。
【図８】実施の形態１の変形例２における半導体装置の構成を示す断面図である。
【図９】実施の形態１の変形例３における半導体装置の構成を示す断面図である。
【図１０】実施の形態１の変形例４における半導体装置の構成を示す斜視図である。
【図１１】実施の形態１の変形例４における半導体装置の構成を示す断面図である。
【図１２】実施の形態２における半導体装置の構成を示す斜視図である。
【図１３】実施の形態２における半導体装置の構成を示す斜視図である。
【図１４】実施の形態２における半導体装置の構成を示す断面図である。
【図１５】実施の形態２における半導体装置が含むヒートシンクの構成を示す斜視図である。
【図１６】実施の形態３における半導体装置の構成を示す断面図である。
【図１７】実施の形態４における半導体装置の構成を示す断面図である。
【発明を実施するための形態】
【００１１】
＜実施の形態１＞
（半導体装置の構成）
実施の形態１における半導体装置を説明する。図１は、実施の形態１における半導体装置の構成を概略的に示す斜視図である。図２は、実施の形態１における半導体装置の構成を概略的に示す断面図であり、図１に示されるＡ−Ａ’における断面を示す。図３は、実施の形態１における半導体装置が含むヒートシンク５の構成を概略的に示す斜視図である。実施の形態１において、半導体装置の取り付け方向は、ヒートシンク５の一端３ａが下側であり、他端３ｂが上側である。
【００１２】
半導体装置は、図２に示されるように、半導体モジュール２が取り付けられたヒートシンク５、筐体６、ファン７、第１通気口８および第２通気口９で構成される。実施の形態１における半導体装置は、上記の構成に加え、回路基板１および電子部品１０を含む。半導体モジュール２は、例えば、電力半導体モジュールである。電力半導体モジュールは、例えば、少なくとも１つの半導体素子（図示せず）を内包する。その半導体素子は、例えば、ＳｉＣまたはＧａＮ等のワイドバンドギャップ半導体を含む電力半導体素子である。半導体装置は、例えば、電力半導体素子を含む電力半導体装置である。
【００１３】
ヒートシンク５は、一端３ａから他端３ｂに第１冷却風が流れる第１風路ＷＰ１を形成するフィン３と板状の形状を有するベース部４とで構成される。ベース部４の一方面４ａには半導体モジュール２が設けられ、他方面４ｂにはフィン３が立てて設けられている。図３に示されるように、実施の形態１において、複数のフィン３が設けられ、各フィン３は互いに平行に設けられている。また、ベース部４には、一方面４ａと他方面４ｂとを貫通する切欠き部４ｃが設けられている。切欠き部４ｃは、ベース部４の板状の形状をなす一辺の少なくとも一部に設けられている。その切欠き部４ｃが設けられる一辺は、フィン３の他端３ｂ側に位置する。その切欠き部４ｃは、ベース部４およびフィン３を貫通している。ただし、切欠き部４ｃの形態はこれに限られるものではない。切欠き部はベース部４を貫通した構造であればよく、フィン３を貫通しない構造であってもよい。また、切欠き部４ｃは、平面形状が、長方形で示されているが、長方形に限られるものではなく、形状は問わない。
【００１４】
筐体６は、ベース部４の一方面４ａと半導体モジュール２と電子部品１０と回路基板１とを覆ってヒートシンク５のベース部４に取り付けられている。筐体６は、ベース部４の一方面４ａとの間に形成される空間に半導体モジュール２を収容する。電子部品１０は半導体モジュールと関連して動作する電子部品である。電子部品１０は、回路基板１の表面１ａに実装されている。また、実施の形態１においては、回路基板１の裏面１ｂにも電子部品１０が設けられている。また、回路基板１は、筐体６内に設けられた半導体モジュール２を実装する。
【００１５】
ファン７は、フィン３につまり第１風路ＷＰ１に第１冷却風を送風し、フィン３を冷却する。実施の形態１において、ファン７は、フィン３の一端３ａ側に設けられる。つまり、ファン７は、切欠き部４ｃとは反対側に設けられている。ファン７は、一端３ａ側から他端３ｂ側に風を送り出すことにより第１冷却風を送風する。それにより、ファン７は、ヒートシンク５を強制的に空冷する。
【００１６】
第１通気口８は、筐体６内と筐体６外とを連通し、筐体６内に第２冷却風を取り込む。第１通気口８は、電子部品１０の回路基板１の表面１ａからの高さが最も高い部分の半分の高さよりも上方に設けられる。ここでは、電子部品１０のうち後述するコンデンサ１０ａの回路基板１からの高さが最も高い。そのため、第１通気口８は、コンデンサ１０ａの最上部１１０ａの半分の高さ１５よりも上方に設けられる。図２に示される半導体装置おいてフィン３の他端３ｂが位置する方向（すなわち図面の右側）が上方である。第１通気口８は、第１通気口８の中心８ａが半分の高さ１５よりも上方に位置するように設けられており、また、その全体が半分の高さ１５よりも上方に位置するように設けられている。実施の形態１において、第１通気口８は、筐体６に設けられている。ここでは、第１通気口８は、筐体６の上面６ａにおいてフィン３の他端３ｂ側、つまり、ベース部４の切欠き部４ｃの上方に設けられている。また、図１においては、第１通気口８の形状は長方形で示されているが、長方形に限られるものではなく、形状は問わない。また、第１通気口８は、穴隙であってもよいし、複数の穴からなる網目であってもよい。
【００１７】
第２通気口９は、筐体６内におけるベース部４の一方面４ａと他方面４ｂとを貫通してなる。実施の形態１において、第２通気口９は、ベース部４の切欠き部４ｃからなる。第２通気口９は、ベース部４の切欠き部４ｃの少なくとも一部を含む構成であってもよい。第２通気口９は、例えば、図２に示されるように、最も高い電子部品１０であるコンデンサ１０ａの最上部１１０ａの半分の高さ１５よりも上方に設けられることが好ましい。第２通気口９は、筐体６内と筐体６外とを連通し、筐体６内に取り込まれた第２冷却風を筐体６外に排気する。
【００１８】
第１通気口８と第２通気口９とは、第１冷却風の流れに起因して第２通気口９に形成される筐体６内と筐体６外との圧力差により、第２冷却風が第１通気口８から取り込まれ第２通気口９から筐体６外に排気される第２風路ＷＰ２を形成する。実施の形態１において、第１通気口８の断面積と第２通気口９の断面積とは、同程度である。
【００１９】
電子部品１０は、第２風路ＷＰ２に沿って筐体６内に設けられる。電子部品１０は電気電子部品を含み、例えば、コンデンサ１０ａである。または、電子部品１０は、例えば、別の半導体モジュール１０ｂである。コンデンサ１０ａは、例えば、半導体モジュール２または別の半導体モジュール１０ｂよりも大きい大型のコンデンサ１０ａである。電子部品１０は、コンデンサ１０ａに限定されるものではなく、例えばトランスまたはコイルであってもよい。筐体６は、回路基板１および電子部品１０も覆って、ヒートシンク５のベース部４に取り付けられている。また、筐体６には、外部接続端子１１が設けられていてもよい。外部接続端子１１は、回路基板１を介して、半導体モジュール２および電子部品１０に接続される。
【００２０】
（半導体装置の冷却動作）
次に、半導体装置の動作を説明する。図４は、実施の形態１における半導体装置の内部および外部の送風時の圧力分布を示す図である。図５は、実施の形態１における半導体装置の内部および外部の送風時の流速分布を示す図である。図６は、実施の形態１における半導体装置の内部および外部の送風時の温度分布を示す図である。図４から図６のいずれも、有限要素法による解析結果を示す。
【００２１】
解析モデルは以下の通りである。筐体６のサイズは、奥行き９０ｍｍ×幅１５０ｍｍ×高さ１５０ｍｍである。図４において、紙面垂直方向が奥行き方向であり、左右方向が幅方向であり、上下方向が高さ方向である。ヒートシンク５のサイズは、奥行き９０ｍｍ×幅１５０ｍｍ×高さ１００ｍｍである。第１通気口８のサイズは、奥行き５０ｍｍ×幅２０ｍｍである。切欠き部４ｃつまり第２通気口９のサイズは、奥行き５０ｍｍ×幅２０ｍｍである。半導体モジュールの発熱量は、２０Ｗである。なお、その他の構成部品は、発熱しない。また、ファン７は、風速５ｍ／ｓの第１冷却風を送風する。なお、筐体６の周囲において風速は設定されていない。筐体６の外気温度は、２０℃である。
【００２２】
ファン７が駆動することで、フィン３の一端３ａから他端３ｂに第１冷却風が流れる。第１冷却風が流れることにより、図４に示されるように、第２通気口９つまり実施の形態１においてはベース部４の切欠き部４ｃにおいて、筐体６外の圧力が低下する。筐体６内の空気は筐体６およびベース部４によって囲まれているため、筐体６内の圧力はベース部４の直下のフィン３を流れる空気の圧力と比較して高い。気体は圧力の高いところから低いところへ向かって流れるため、図５に示されるように、圧力の高い筐体６内の空気は、第２通気口９を通じて、圧力の低い筐体６外に排気される。筐体６内の空気が第２通気口９を通じて排気されることにより、筐体６内の圧力が低下しようとするため、筐体６外から第１通気口８を通じて筐体６内に外気が流入する。結果、第１通気口８から第２通気口９に第２冷却風が流れる風路が形成される。第２冷却風が流れる風路は、図２に示された第２風路ＷＰ２であり、その第２風路ＷＰ２は第１通気口８と第２通気口９とを接続するように形成される。また、図５には解像度が十分でないため図示されていないが、回路基板１の表面１ａにおける第２冷却風の風速は、コンデンサ１０ａ上における第２冷却風の風速よりも小さい。例えば、回路基板１の表面１ａにおける第２冷却風の風速は、表面１ａからの高さが最も高い電子部品１０であるコンデンサ１０ａの最上部１１０ａにおける第２冷却風の風速よりも小さい。
【００２３】
図６に示されるように、半導体装置は、第２冷却風が流れる第２風路ＷＰ２付近に配置された半導体モジュール２およびコンデンサ１０ａ等の電子部品１０を、第２冷却風によって冷却する。特に、コンデンサ１０ａの上部が冷却されている。また、半導体装置は、第１冷却風によりヒートシンク５も冷却し、その結果、半導体モジュール２が冷却されている。
【００２４】
（効果）
以上をまとめると、実施の形態１における半導体装置は、一端３ａから他端３ｂに第１冷却風が流れる第１風路ＷＰ１を形成するフィン３と板状の形状を有するベース部４とを含み、ベース部４の一方面４ａには半導体モジュール２が設けられ、他方面４ｂにはフィン３が立てて設けられるヒートシンク５と、ベース部４の一方面４ａと、半導体モジュール２と、半導体モジュール２と関連して動作する電子部品１０と、電子部品１０が実装された回路基板１と、を覆ってヒートシンク５のベース部４に取り付けられ、一方面４ａとの間に形成される空間に半導体モジュール２を収容する筐体６と、第１風路ＷＰ１に第１冷却風を送風し、フィン３を冷却するファン７と、筐体６内と筐体６外とを連通し、筐体６内に第２冷却風を取り込む第１通気口８と、筐体６内と筐体６外とを連通し、筐体６内に取り込まれた第２冷却風を筐体６外に排気する第２通気口９と、を含む。第１通気口８は、筐体６内の回路基板１の一面（表面１ａ）に実装された電子部品１０の回路基板１からの高さが最も高い部分（最上部１１０ａ）の半分の高さ１５よりも上部に設けられる。第２通気口９は、筐体６内におけるベース部４の一方面４ａと他方面４ｂとを貫通してなる。第１通気口８と第２通気口９とは、第１冷却風の流れに起因して第２通気口９に形成される筐体６内と筐体６外との圧力差によって、第２冷却風が第１通気口８から取り込まれ第２通気口９から筐体６外に排気される第２風路ＷＰ２を筐体６内に形成する。回路基板１の一面（表面１ａ）における第２冷却風の風速は、電子部品１０上における第２冷却風の風速よりも小さい。
【００２５】
以上の構成により、半導体装置は、第１通気口８と第２通気口９との間に第２冷却風が流れる第２風路ＷＰ２を形成することができる。半導体装置は、ヒートシンク５の性能を低下させることなく、筐体６内に第２冷却風を流すことができる。筐体６内の半導体モジュール２付近に発生する空気だまりを解消し、半導体モジュール２の周囲に溜まった熱気を排出することができる。さらに半導体装置は、第２風路ＷＰ２近傍に実装されている電子部品１０も冷却する。例えばコンデンサ１０ａのような大型の電子部品１０が実装されていても、半導体装置は効率よく冷却する。その結果、コンデンサ１０ａが長寿命化し、ひいては半導体装置の信頼性が高まる。第１通気口８は、回路基板１の表面１ａに実装される電子部品１０のうち、最も高さが高いコンデンサ１０ａの最上部１１０ａの半分の高さ１５よりも上方に位置する。そのため、半導体装置は、回路基板１の表面１ａ付近の風速を上昇させずに、筐体６内の温度の高い空気を効率よく排気することを可能にする。また、回路基板１に埃などの異物が付着しづらくなるため、回路基板１の表面１ａにおけるコーティング等の異物付着対策が不要となる。例えば、回路基板１の表面１ａ付近の風速が０．３ｍ／ｓである場合、ゴミや埃などの異物が付着しづらくなるため、異物付着対策が不要となる。したがって、「第２風路ＷＰ２の風速」≧０．３ｍ／ｓ≧「回路基板１の表面１ａ付近の風速」の関係を満たすことにより、半導体装置の小型化、軽量化、低コスト化の実現が可能となる。上記の風速は一例であり、ゴミや埃で半導体装置が故障しない程度の風速であればよい。実施の形態１において示された、第１通気口８および第２通気口９の各位置、または、電子部品１０の配置は、一例であり、上記に限られるものではない。第１通気口８および第２通気口９の配置は、例えば、回路基板１に実装される電子部品１０の配置に応じてそれぞれ決定されてもよい。つまり、電子部品１０の配置に応じて、第２風路ＷＰ２が形成されるよう、第１通気口８と第２通気口９とが設けられてもよい。また、実施の形態１における半導体装置は、回路基板１、半導体モジュール２および電子部品１０を、筐体６およびヒートシンク５で囲っているため、筐体６外から筐体６内に伝導するノイズが減少する。
【００２６】
また、実施の形態１の半導体装置の第２通気口９は、回路基板１からの高さが最も高い部分（最上部１１０ａ）の半分の高さ１５よりも上部に設けられる。
【００２７】
このような半導体装置は、回路基板１の表面１ａにおける第２冷却風の風速を、電子部品上における第２冷却風の風速よりも小さくすることができる。そのため、半導体装置は、回路基板１の表面１ａへの異物付着を低減しながら、筐体６内における温度の高い空気を排気することを可能にする。
【００２８】
また、実施の形態１の半導体装置において、第１通気口８は筐体６に設けられる。ベース部４は、板状の形状をなす一辺の少なくとも一部に、一方面４ａと他方面４ｂとを貫通する切欠き部４ｃを含む。切欠き部４ｃが設けられる一辺は、フィン３の他端３ｂ側に位置する。第２通気口９は、切欠き部４ｃの少なくとも一部を含む。
【００２９】
このような構成により、半導体装置は、ファン７等の冷却用部材の追加を必要とすることなく、第１通気口８および第２通気口９を形成する加工費の追加のみで筐体６内の冷却性能を向上させることができる。また、第１通気口８が、網目である場合、筐体６内に侵入する塵埃を防ぐことができる。切欠き部４ｃは、筐体６内と筐体６外とを貫通する構成であればよく、上述したようにベース部４を貫通するものであれば、フィン３は貫通しなくても良い。また、第２通気口９としての切欠き部４ｃは、第１冷却風が流れる方向に対して垂直方向に第２冷却風を流すことが可能な構成であればよい。また、第２通気口９である切欠き部４ｃが、第１冷却風の風上側、つまりフィン３の一端３ａ側に設けられる場合であっても、第２通気口９から筐体６内に冷却風が流れる。しかし、フィン３を流れる第１冷却風の風量が減少し、ヒートシンク５の冷却効率が低下することを考慮すると、切欠き部４ｃはフィン３の他端３ｂ側に設けられることが好ましい。
【００３０】
また、実施の形態１の半導体装置において、ファン７は、フィン３の一端３ａ側に設けられ、一端３ａ側から他端３ｂ側に風を送り出すことにより第１冷却風を送風する。
【００３１】
このような構成により、半導体装置は、第１冷却風の風量を減少させることなく、筐体６内に第２冷却風の第２風路ＷＰ２が形成できる。つまり、ヒートシンク５の冷却効果を損なうことなく、筐体６内の電子部品１０等の冷却が可能である。
【００３２】
また、実施の形態１の半導体装置は、第２風路ＷＰ２に沿って筐体６内に設けられ半導体モジュール２と関連して動作する電子部品１０をさらに含む。
【００３３】
このような構成により、第１通気口８および第２通気口９の各位置に応じて形成される第２風路ＷＰ２を流れる第２冷却風によって、電子部品１０は効率的に冷却される。
【００３４】
また、実施の形態１における半導体装置は、小電力を制御する半導体モジュールよりも大きな電力を制御する電力半導体モジュールを半導体モジュール２として搭載する場合に、より大きな効果を奏する。電力半導体モジュールの発熱量は、小電力を制御する半導体モジュールの発熱量よりも大きい。そのため、電力半導体モジュールにはヒートシンク５が取り付けられ、放熱性能の向上が図られる。一方で、電力半導体モジュールを含む電力半導体装置は、上記のように、外部との接触を防ぐため筐体６に覆われた構成を有する。また、回路基板１および半導体モジュール２に関連して動作する電子部品１０等も筐体６内に設けられる。筐体６によって、筐体６内の空気の循環が妨げられるため、ヒートシンク５に取り付けられていない電子部品１０等には、独立した放熱設計が必要である。実施の形態１における半導体装置の構成によれば、筐体６内に第２冷却風の第２風路ＷＰ２が形成されるため、半導体装置が電力半導体装置であっても、効果的に筐体６内の回路基板１および電子部品１０等の冷却が可能である。
【００３５】
（実施の形態１の変形例１）
実施の形態１に示された半導体装置においては、回路基板１に実装された別の半導体モジュール１０ｂおよびコンデンサ１０ａ等の大型の電子部品１０の上方に第２冷却風の第２風路ＷＰ２が形成されていた。そして第２冷却風が回路基板１に実装された部品を冷却していた。半導体装置の構成および動作はそれに限られるものではない。第１通気口８の位置、第２通気口９の位置、もしくは回路基板１に実装される電子部品１０の配置の変更により、筐体６内に形成される第２冷却風の第２風路ＷＰ２の変更が可能であり、また、冷却対象の電子部品１０の変更も可能である。
【００３６】
図７は、実施の形態１の変形例１における半導体装置の構成を示す断面図である。第１通気口８の位置および第２通気口９の位置は、実施の形態１と同様であるものの、回路基板１の配置が実施の形態１とは異なる。実施の形態１の変形例１における半導体装置の回路基板１は、図２に示された半導体装置の回路基板１の取り付け位置に対して、１８０度反転した位置に取り付けられている。第１通気口８は、電子部品１０の回路基板１の裏面１ｂからの高さが最も高い部分の半分の高さよりも上方に設けられる。ここでは、別の半導体モジュール１０ｂの回路基板１からの高さが最も高い。そのため、第１通気口８は、別の半導体モジュール１０ｂの最上部１１０ｂの半分の高さ１５よりも上方に設けられる。図７に示される半導体装置おいてフィン３の他端３ｂが位置する方向（すなわち図面の右側）が上方である。ここでは、第１通気口８は、第１通気口８の中心８ａが半分の高さ１５よりも上方に位置するように設けられている。図示は省略するが、実施の形態１と同様に、第１通気口８の全体が上記の半分の高さ１５よりも上方に位置するように設けられていてもよい。第１通気口８および第２通気口９によって形成される第２冷却風の第２風路ＷＰ２は、回路基板１の裏面１ｂ側に形成される。ここでは、回路基板１の裏面１ｂとは、コンデンサ１０ａが実装されている表面１ａとは反対側の面のことである。
【００３７】
このような構成により、半導体装置は、回路基板１および回路基板１の裏面１ｂに取り付けられた電子部品１０等を冷却することが可能である。
【００３８】
（実施の形態１の変形例２）
図８は、実施の形態１の変形例２における半導体装置の構成を示す断面図である。変形例２における回路基板１は、図２に示された実施の形態１における半導体装置の回路基板１の取り付け位置に対して、９０度回転した位置に取り付けられている。第１通気口８は、筐体６の側面６ｂに設けられている。その側面６ｂは、フィン３の一端３ａ側に位置する。つまり、第１通気口８と第２通気口９とは、回路基板１の対角をなす位置にそれぞれ設けられている。第１通気口８は、電子部品１０の回路基板１の表面１ａからの高さが最も高い部分（最上部１１０ａ）の半分の高さよりも上方に設けられる。図８に示される半導体装置おいて、図面手前側が上方である。また、第２通気口９も、最上部１１０ａの半分の高さよりも上方に設けられることが好ましい。また、回路基板１に実装されるコンデンサ１０ａ等の大型の電子部品１０は、第２冷却風の第２風路ＷＰ２を完全には遮らないよう配置される。また、冷却が必要な電子部品１０は第２冷却風の第２風路ＷＰ２付近に配置される。
【００３９】
このような構成により、対角に設けられた第１通気口８と第２通気口９との間に第２冷却風の第２風路ＷＰ２が形成される。半導体装置は、第２冷却風により冷却が必要な電子部品１０を冷却することができる。
【００４０】
（実施の形態１の変形例３）
図９は、実施の形態１の変形例３における半導体装置の構成を示す断面図である。変形例３における回路基板１は、図２に示された実施の形態１における半導体装置の回路基板１の取り付け位置に対して、９０度回転した位置に取り付けられている。第１通気口８の位置および第２通気口９の位置は、実施の形態１と同様である。すなわち、第１通気口８は、電子部品の回路基板１の表面１ａからの高さが最も高い部分（最上部１１０ａ）の半分の高さよりも上方に設けられる。図９に示される半導体装置おいて、図面手前側が上方である。また、第２通気口９も、最上部１１０ａの半分の高さよりも上方に設けられることが好ましい。筐体６内には、電子部品１０および電子部品１０を冷却する電子部品用ヒートシンク１２がさらに設けられている。電子部品用ヒートシンク１２が取り付けられた電子部品１０の実装位置は、第１通気口８から第２通気口９に流れる第２冷却風の第２風路ＷＰ２に重なる位置である。ここでは、電子部品１０は、ヒートシンク５に取り付けられた半導体モジュール２とは異なる別の半導体モジュール１０ｂである。電子部品用ヒートシンク１２は、例えば、半導体モジュール２が取り付けられているヒートシンク５よりも小型のヒートシンクである。
【００４１】
このような構成により、半導体装置は、電子部品用ヒートシンク１２の強制冷却を可能とし、ひいては電子部品１０（別の半導体モジュール１０ｂ）を冷却することができる。そのため、電子部品１０は温度変化による特性変化が小さくなり、電子部品１０を実装する半導体装置の信頼性が高まる。また、半導体モジュール２が取り付けられているヒートシンク５と電子部品用ヒートシンク１２とは分離して配置されている。そのため、半導体装置は、それぞれ温度上昇率が異なる半導体モジュール２および電子部品１０を同時に冷却することができる。
【００４２】
（実施の形態１の変形例４）
実施の形態１における半導体装置は、切欠き部４ｃとは反対側つまりフィン３の一端３ａ側に設けられるファン７を有していたが、ファン７の配置はこれに限られるものではない。図１０は、実施の形態１の変形例４における半導体装置の構成を示す斜視図である。図１１は、実施の形態１の変形例４における半導体装置の構成を示す断面図であり、図１０に示されるＢ−Ｂ’における断面を示す。
【００４３】
ファン７は、切欠き部４ｃ側つまりフィン３の他端３ｂ側に設けられる。ファン７は、フィン３の一端３ａ側から他端３ｂ側に風を吸い込むことにより第１冷却風を送風する。このような構成を有する半導体装置であっても、実施の形態１と同様の効果を奏する。
【００４４】
また、ファン７の上端部７ａは、切欠き部４ｃの位置よりも高い位置に設けられることが好ましい。すなわち、ファン７は、上端部７ａがベース部４の他方面４ｂにより規定される面よりも上方に設けられることが好ましい。上方とは、筐体６の上面６ａが位置する方向である。このような構成により、ファン７は第２通気口９から排気される第２冷却風も吸い込んで筐体６外に排気する。
【００４５】
（実施の形態１の変形例５）
ファン７は、通風速度、すなわち回転速度が可変のファン７であってもよい。ファン７の通風速度が速くなるほど、フィン３を流れる空気の圧力は低下する。その結果、筐体６内と筐体６外との圧力差は大きくなる。これにより、ファン７の通風速度が遅い場合と比較し、第１通気口８と第２通気口９との間に流れる第２冷却風の風量は増加する。このように第２冷却風の風量は、ファン７の通風速度に依存する。ファン７の通風速度が可変な半導体装置は、筐体６内の冷却効果を可変に制御することができる。
【００４６】
半導体装置には、温度センサ（図示せず）およびファンコントローラ（図示せず）が設けられてもよい。温度センサは筐体６内に設けられ、半導体モジュール２または筐体６内の温度を測定する。ファンコントローラは温度センサによる温度測定結果に応じて、ファン７の回転速度を変更する。このような構成により、半導体装置は、筐体６内の発熱量が大きい場合は、第２冷却風の風量を増加させて冷却効果を向上させ、また筐体６内の発熱量が小さい場合は、ファン７の回転速度を遅くして、消費電力を低減させることができる。
【００４７】
半導体モジュール２は、例えば、ヒートシンク５のベース部４の一方面４ａに放熱グリースを介してネジ留めされる。または、例えば、半導体モジュール２は、放熱シート等の他の放熱部材を介してヒートシンク５に取り付けられてもよい。また、半導体モジュール２が取り付けられるベース部４の一方面４ａを研磨することにより、半導体モジュール２とヒートシンク５との間に介在する熱抵抗を下げることができる。さらに、ヒートシンク５から放射される輻射熱を低減することができ、筐体６内の部品の温度上昇を防止する効果を奏する。
【００４８】
半導体モジュール２は、例えば、半導体モジュール２の外面から突出する複数の端子２ａが回路基板１にはんだ付けされることにより、回路基板１に実装される。または、例えば、半導体モジュール２は、プレスフィット端子によって回路基板１に実装されてもよい。プレスフィット端子による実装により、半導体装置の組立性が向上する。
【００４９】
ヒートシンク５に取り付けられる半導体モジュール２の数量は問わない。ただし、複数の半導体モジュールがヒートシンク５に取り付けられる場合、各半導体モジュールは、絶縁性を有する放熱部材を介してヒートシンク５に取り付けられる。
【００５０】
ヒートシンク５のベース部４およびフィン３は、別々の部品であってもよいし、一体の部品であってもよい。別々の部品である場合、両者は、例えば、カシメやろう付けによって接続される。一体の部品である場合、両者は、例えば、押し出し成型またはアルミダイキャストによって一体に成形される。
【００５１】
また、ヒートシンク５が有する切欠き部４ｃは、カシメやろう付けの前に、ベース部４の一部を切断して形成される。または、切欠き部４ｃは、切欠き部４ｃに対応する形状を有する金型によって押し出し成型またはアルミダイキャストによって成形されてもよい。
【００５２】
＜実施の形態２＞
実施の形態２における半導体装置を説明する。なお、実施の形態１と同様の構成および動作については説明を省略する。
【００５３】
図１２および図１３は、いずれも実施の形態２における半導体装置の構成を概略的に示す斜視図である。ただし、図１３は図１２とは反対側から見た半導体装置を示している。図１４は、実施の形態２における半導体装置の構成を概略的に示す断面図であり、図１２および図１３に示されるＣ−Ｃ’における断面を示す。図１５は、実施の形態２における半導体装置が含むヒートシンク５の構成を概略的に示す斜視図である。図１４に示されるように、実施の形態２における回路基板１は、図２に示された実施の形態１における半導体装置の回路基板１の取り付け位置に対して、９０度回転した位置に取り付けられている。実施の形態２において、半導体装置の取り付け方向は、図１４の図面奥が下側であり、図面手前が上側である。
【００５４】
ベース部４には、図１５に示されるように、段差部４ｄと切欠き部４ｃとが設けられている。段差部４ｄは、ベース部４の板状の形状をなす第１辺４１の少なくとも一部を含んで一方面４ａに設けられる。段差部４ｄが設けられる第１辺４１は、フィン３の一端３ａ側に位置する。すなわち、段差部４ｄはファン７が取り付けられている側に形成されている。また、段差部４ｄはベース部４を貫通しない。
【００５５】
切欠き部４ｃは、板状の形状をなす第２辺４２の少なくとも一部に一方面４ａと他方面４ｂとを貫通してなる。切欠き部４ｃが設けられる第２辺４２は、フィン３の他端３ｂ側に位置する。すなわち、切欠き部４ｃの構成は、実施の形態１と同様である。
【００５６】
ファン７は、図１４に示されるように、フィン３の一端３ａ側に設けられ、一端３ａ側から他端３ｂ側に風を送り出すことにより第１冷却風を送風する。ただし、ファン７は、上端部７ａが段差部４ｄの底面４ｅにより規定される面よりも下方に位置するよう設けられる。実施の形態２において、ファン７の上端部７ａは、フィン３の高さと同程度に位置し、段差部４ｄの底面４ｅよりも低い位置に位置する。つまり、ファン７は、上端部７ａがベース部４の他方面４ｂにより規定される面と同等またはその面よりも下方に位置するよう設けられる。下方とは、ベース部４に対しフィン３が位置する方向である。
【００５７】
第１通気口８は、段差部４ｄの少なくとも一部を含む。実施の形態２においては、第１通気口８は、段差部４ｄからなる。第１通気口８は、電子部品１０の回路基板１の表面１ａからの高さが最も高い部分（最上部１１０ａ）の半分の高さよりも上方に設けられる。図１４に示される半導体装置おいて、図面手前側が上方である。例えば、第１通気口８は、第１通気口８の中心がその半分の高さよりも上方に位置するように設けられる。
【００５８】
第２通気口９は、切欠き部４ｃの少なくとも一部を含む。実施の形態２においては、第２通気口９は、切欠き部４ｃからなる。第２通気口９も、例えば、最上部１１０ａの半分の高さよりも上方に設けられることが好ましい。
【００５９】
このように、実施の形態２における半導体装置の構成は、実施の形態１とおおむね一致するが、第１通気口８は、筐体６に設けられておらず、ヒートシンク５の段差部４ｄに設けられている点で異なる。
【００６０】
実施の形態２の半導体装置では、段差部４ｄがファン７よりも上方に位置するため、段差部４ｄを通じて第１冷却風の一部が筐体６内に流入することはない。そのため、筐体６外から段差部４ｄを通じて外気つまり第２冷却風が取り込まれ、切欠き部４ｃを通じて排気される。そして、第１通気口８である段差部４ｄと第２通気口９である切欠き部４ｃとの間に、第２冷却風が流れる第２風路ＷＰ２が形成される。
【００６１】
（効果）
このような構成により、半導体装置は、第２冷却風の第２風路ＷＰ２付近に実装された部品の冷却効果を向上させることが可能である。半導体モジュール２は、ヒートシンク５による冷却に加え、第２冷却風によっても空冷される。そのため、ファン７の性能を向上させることなく、半導体モジュール２の冷却性能が向上する。その結果、半導体装置は、半導体モジュール２の温度変化による特性変化を抑制できるとともに、半導体装置自身の信頼性を高めることができる。また、半導体装置は、半導体モジュール２だけでなく、第２冷却風の第２風路ＷＰ２付近に実装されたコンデンサ１０ａ等他の電子部品１０の冷却効果を向上させる。これにより、電子部品１０が長寿化し、ひいては半導体装置の信頼性が高まる。
【００６２】
実施の形態１の半導体装置においては、筐体６内に第２風路ＷＰ２を形成するために、筐体６およびヒートシンク５の両方に加工が必要であった。しかし、実施の形態２の半導体装置においては、ヒートシンク５の加工のみで第２風路ＷＰ２が形成できる。加工工程の増加を抑制し、低コスト化に半導体装置を製造可能である。
【００６３】
第１通気口８の構成は、上記の構成に限られるものではない。第１通気口８が段差部４ｄのみからなる場合、第１通気口８はベース部４の厚さよりも大きな開口を有することが不可能である。しかし、段差部４ｄ付近の筐体６に、別の第１通気口として筐体６に穴隙がさらに設けられてもよい。それにより、半導体装置は、第１通気口として、ベース部４の厚さよりも大きな第２冷却風の入り口を確保することができ、冷却効果が向上する。また、段差部４ｄと異なる場所に別の第１通気口が設けられることにより、複数の第２風路も形成される。
【００６４】
また、切欠き部４ｃおよび段差部４ｄの形状は問わない。例えば、段差部４ｄの形状は、空気が流入する方向に対応して傾斜を有してもよい。それにより、空気の流れが遮られることなく、冷却効果が向上する。
【００６５】
（実施の形態２の変形例）
実施の形態１の変形例４と同様に、ファン７が切欠き部４ｃ側つまりフィン３の他端３ｂ側に設けられてもよい（図示せず）。実施の形態２の変形例における半導体装置が含むファン７は、フィン３の一端３ａ側から他端３ｂ側に風を吸い込むことにより第１冷却風を送風する。このような構成を有する半導体装置であっても、実施の形態２と同様の効果を奏する。
【００６６】
この場合、ファン７の上端部７ａは、切欠き部４ｃの位置よりも高い位置に設けられることが好ましい。すなわち、ファン７は、上端部７ａがベース部４の他方面４ｂにより規定される面よりも上方に設けられることが好ましい。上方とは、筐体６の上面６ａが位置する方向である。このような構成により、ファン７は第２通気口９から排気される第２冷却風も吸い込んで筐体６外に排気する。
【００６７】
＜実施の形態３＞
実施の形態３における半導体装置を説明する。図１６は、実施の形態３における半導体装置の構成を概略的に示す断面図である。実施の形態３における半導体装置は、ファン７の構成が実施の形態２と異なる。実施の形態２と同様の構成および動作については説明を省略する。実施の形態３において、半導体装置の取り付け方向は、図１６の図面奥が下側であり、図面手前が上側である。
【００６８】
ファン７は、第１風路ＷＰ１に第１冷却風を送風するだけでなく、第２冷却風を第１通気口８に向けてさらに送風する。実施の形態３においては、ファン７は、フィン３の一端３ａ側に設けられる。また、ファン７の上端部７ａは、段差部４ｄの底面４ｅよりも高い位置に位置する。つまり、ファン７は、上端部７ａがベース部４の段差部４ｄの底面４ｅにより規定される面よりも上方に位置するよう設けられる。
【００６９】
実施の形態２の半導体装置では、段差部４ｄがファン７よりも上方に位置するため、ファン７によって送風される冷却風の一部が段差部４ｄを通じて筐体６内に流入することはない。一方、実施の形態３の半導体装置では、段差部４ｄがファン７の上端部７ａよりも下方に位置するため、ファン７によって、送風される第２冷却風が段差部４ｄを通じて筐体６内に取り込まれる。第１通気口８と第２通気口９とは、ファン７が第２冷却風を第１通気口８に向けて送風することにより、第２冷却風が第１通気口８から取り込まれ第２通気口９から筐体６外に排気される第２風路ＷＰ２を形成する。
【００７０】
（効果）
このような構成により、半導体モジュール２は、ヒートシンク５に接している面にて放熱するだけでなく、ヒートシンク５に接している面とは反対側の面からも第２冷却風によっても強制的に空冷される。半導体装置は、ヒートシンク５のサイズまたはフィン３の性能を向上させることなく、冷却効果を向上させることが可能である。半導体装置は、半導体モジュール２の温度変化による特性変化を抑制し、半導体装置自身の信頼性を高めることができる。実施の形態３においては、第１通気口８は段差部４ｄによって構成され、第２通気口９は切欠き部４ｃによって構成されたが、第１通気口８および第２通気口９の構成は、これらに限られるものではない。第１通気口８は、ファン７が第１通気口８に第２冷却風を送風でき、かつ、第１冷却風をフィン３に送風できる構成であって、第２通気口９との間に第２風路を形成できる構成でれば、他の構成であってもよい。
【００７１】
また、実施の形態３における第１通気口８および第２通気口９は、実施の形態２と同様に、ヒートシンク５の加工のみで形成される。加工工程の増加を抑制でき、低コストに半導体装置を製造可能である。
【００７２】
段差部４ｄの深さつまり底面４ｅの位置またはファン７の上端部７ａの位置を調整することにより、筐体６内に流入する第２冷却風の風量が調節される。そのため、半導体装置は、筐体６内を自然空冷の効果を強める場合と強制空冷の効果を強める場合のいずれにも対応可能である。
【００７３】
実施の形態３においては、段差部４ｄはベース部４を貫通する構成であっても良い。ファン７から送風される冷却風が入り込む面積が大きくなるため、筐体６内の冷却効果が向上する。
【００７４】
また、実施の形態３の半導体装置において、実施の形態２と同様の構成は、上述した実施の形態２と同様の効果を奏する。
【００７５】
（実施の形態３の変形例）
実施の形態３の変形例において、第１通気口８は、電子部品１０の回路基板１の表面１ａからの高さが最も高い部分（最上部１１０ａ）の半分の高さよりも上方に設けられる。図１６に示される半導体装置おいて、図面手前側が上方である。例えば、第１通気口８は、第１通気口８の中心がその半分の高さよりも上方に位置するように設けられる。
【００７６】
第２通気口９も、例えば、最上部１１０ａの半分の高さよりも上方に設けられることが好ましい。
【００７７】
このような半導体装置は、回路基板１の表面１ａにおける第２冷却風の風速を、電子部品１０上における第２冷却風の風速よりも小さくすることができる。そのため、半導体装置は、回路基板１の表面１ａへの異物付着を低減しながら、筐体６内における温度の高い空気を排気することを可能にする。
【００７８】
＜実施の形態４＞
実施の形態４における半導体装置を説明する。図１７は、実施の形態４における半導体装置の構成を概略的に示す断面図である。実施の形態４における半導体装置は、筐体６内の第２風路ＷＰ２と回路基板１との間にプレート２０を有する点で実施の形態１から３に示された半導体装置と異なる。実施の形態１から３と同様の構成および動作については説明を省略する。
【００７９】
回路基板１の表面１ａに実装される電子部品１０のうち、コンデンサ１０ａの回路基板１からの高さが最も高い。プレート２０は、コンデンサ１０ａの回路基板１の表面１ａからの高さが最も高い部分（最上部１１０ａ）の半分の高さ１５よりも上部に設置される。プレート２０は、筐体６にねじ、接着、溶接、リベット、などで固定される。
【００８０】
プレート２０は、１つ以上の開口部２１を有する。開口部２１は、回路基板１または電子部品１０の動作中の発熱により温められた空気を、第２風路ＷＰ２に排気する。そして、第２風路ＷＰ２に排気された空気は、第２冷却風により半導体装置の外部へ放熱される。また、プレート２０の取り付けを容易にするため、開口部２１は、電子部品１０の位置に対応して設けられていても良い。そのようなプレート２０は、回路基板１に実装された電子部品１０に開口部２１の位置を合わせて挿入することで取り付けが可能である。
【００８１】
（効果）
このような半導体装置において、プレート２０は、第２冷却風により外部から筐体６内に流入する埃や虫などの異物が回路基板１に堆積するのを防止する。そのため、回路基板１に異物付着防止のためのコーティングを行う必要がなくなる。また、第１通気口８にフィルターやラビリンス構造を設ける必要がなくなる。その結果、半導体装置の小型化および低コスト化が可能となる。
【００８２】
また、電子部品１０がプレート２０に接触もしくは固定することで、電子部品１０が輸送や動作中などに発生する振動で故障することを防止できる。加えて、電子部品１０からプレート２０に熱が伝わるため、電子部品１０で発生した熱の外気への放熱性能が向上する。その結果、電子部品１０の信頼性の向上や、安価な部品への置き換えが可能となる。
【００８３】
プレート２０の材質は、例えば、ＡＢＳ（Acrylonitrile butadiene styrene）、ＰＢＴ（Polybutylene terephthalate）、ＰＰＳ（Polyphenylene sulfide）などの樹脂である。または例えば、プレート２０の材質は、鉄、アルミなどの金属である。ただし、プレート２０の材質は、それらに限定されるものではない。特に、プレート２０が金属で構成される場合、プレート２０は、電気的なノイズを低減する。また、プレート２０は、メッシュ状の部材またはフィルターのようなものでもよい。プレート２０は、第２風路ＷＰ２の全体を覆って設けられる必要はない。
【００８４】
プレート２０の開口部２１の位置を調整することで、筐体６内の空気の流れや風速の調整が可能である。
【００８５】
また、実施の形態４の半導体装置において、実施の形態１から３と同様の構成は、上述した実施の形態１から３と同様の効果を奏する。
【００８６】
なお、本発明は、その発明の範囲内において、各実施の形態を自由に組み合わせたり、各実施の形態を適宜、変形、省略したりすることが可能である。本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【００８７】
１  回路基板、２  半導体モジュール、３  フィン、３ａ  一端、３ｂ  他端、４  ベース部、４１  第１辺、４２  第２辺、４ａ  一方面、４ｂ  他方面、４ｃ  切欠き部、４ｄ  段差部、４ｅ  底面、５  ヒートシンク、６  筐体、７  ファン、７ａ  上端部、８  第１通気口、９  第２通気口、１０  電子部品、１２  電子部品用ヒートシンク、ＷＰ１  第１風路、ＷＰ２  第２風路。
【図１】
2019111755.tif 000003
【図２】
2019111755.tif 000004
【図３】
2019111755.tif 000005
【図４】
2019111755.tif 000006
【図５】
2019111755.tif 000007
【図６】
2019111755.tif 000008
【図７】
2019111755.tif 000009
【図８】
2019111755.tif 000010
【図９】
2019111755.tif 000011
【図１０】
2019111755.tif 000012
【図１１】
2019111755.tif 000013
【図１２】
2019111755.tif 000014
【図１３】
2019111755.tif 000015
【図１４】
2019111755.tif 000016
【図１５】
2019111755.tif 000017
【図１６】
2019111755.tif 000018
【図１７】
2019111755.tif 000019
【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
一端から他端に第１冷却風が流れる第１風路を形成するフィンと板状の形状を有するベース部とを含み、前記ベース部の一方面には半導体モジュールが設けられ、他方面には前記フィンが立てて設けられるヒートシンクと、
前記ベース部の前記一方面と、前記半導体モジュールと、前記半導体モジュールに関連して動作する電子部品と、前記電子部品が実装された回路基板と、を覆って前記ヒートシンクの前記ベース部に取り付けられ、前記一方面との間に形成される空間に前記半導体モジュールを収容する筐体と、
前記第１風路に前記第１冷却風を送風し、前記フィンを冷却するファンと、
前記筐体内と前記筐体外とを連通し、前記筐体内に第２冷却風を取り込む第１通気口と、
前記筐体内と前記筐体外とを連通し、前記筐体内に取り込まれた前記第２冷却風を前記筐体外に排気する第２通気口と、を備え、
前記第１通気口は、前記筐体内の前記回路基板の一面に実装された前記電子部品の前記回路基板からの高さが最も高い部分の半分の高さよりも上部に設けられ、
前記第２通気口は、前記筐体内における前記ベース部の前記一方面と前記他方面とを貫通してなり、
前記第１冷却風の流れに起因して前記第２通気口に形成される前記筐体内と前記筐体外との圧力差によって、前記第２冷却風が前記第１通気口から取り込まれ前記第２通気口から前記筐体外に排気される第２風路を前記筐体内にさらに備える、半導体装置。
【請求項２】
前記回路基板の前記一面における前記第２冷却風の風速は、前記電子部品上における前記第２冷却風の風速よりも小さい、請求項１に記載の半導体装置。
【請求項３】
前記第２通気口は、前記最も高い前記電子部品の前記半分の高さよりも上部に設けられる、請求項１または請求項２に記載の半導体装置。
【請求項４】
前記第１通気口は、前記筐体に設けられ、
前記ベース部は、前記板状の形状をなす一辺の少なくとも一部に、前記一方面と前記他方面とを貫通する切欠き部を含み、
前記切欠き部が設けられる前記一辺は、前記フィンの前記他端側に位置し、
前記第２通気口は、前記切欠き部の少なくとも一部を含む請求項１から請求項３のいずれか一項に記載の半導体装置。
【請求項５】
前記ベース部は、前記板状の形状をなす第１辺の少なくとも一部を含んで前記一方面に設けられる段差部と、前記板状の形状をなす第２辺の少なくとも一部に前記一方面と前記他方面とを貫通する切欠き部と、を含み、
前記段差部が設けられる前記第１辺は、前記フィンの前記一端側に位置し、
前記切欠き部が設けられる前記第２辺は、前記フィンの前記他端側に位置し、
前記第１通気口は、前記段差部の少なくとも一部を含み、
前記第２通気口は、前記切欠き部の少なくとも一部を含む請求項１から請求項３のいずれか一項に記載の半導体装置。
【請求項６】
前記ファンは、前記フィンの前記一端側に設けられ、前記一端側から前記他端側に風を送り出すことにより前記第１冷却風を送風する請求項１から請求項５のいずれか一項に記載の半導体装置。
【請求項７】
前記ファンは、前記ファンの上端部が前記ベース部の前記他方面により規定される面よりも下方に位置するよう設けられる請求項６に記載の半導体装置。
【請求項８】
前記ファンは、前記フィンの前記他端側に設けられ、前記一端側から前記他端側に風を吸い込むことにより前記第１冷却風を送風する請求項１から請求項５のいずれか一項に記載の半導体装置。
【請求項９】
前記筐体内に形成される前記第２風路に設けられ、前記電子部品を冷却する電子部品用ヒートシンクをさらに備える請求項１から請求項８のいずれか一項に記載の半導体装置。
【請求項１０】
一端から他端に第１冷却風が流れる第１風路を形成するフィンと板状の形状を有するベース部とを含み、前記ベース部の一方面には半導体モジュールが設けられ、他方面には前記フィンが立てて設けられるヒートシンクと、
前記ベース部の前記一方面と、前記半導体モジュールと、前記半導体モジュールに関連して動作する電子部品と、前記電子部品が実装された回路基板と、を覆って前記ヒートシンクの前記ベース部に取り付けられ、前記一方面との間に形成される空間に前記半導体モジュールを収容する筐体と、
前記第１風路に前記第１冷却風を送風し、前記フィンを冷却するファンと、
前記筐体内と前記筐体外とを連通し、前記筐体内に第２冷却風を取り込む第１通気口と、
前記筐体内と前記筐体外とを連通し、前記筐体内に取り込まれた前記第２冷却風を前記筐体外に排気する第２通気口と、を備え、
前記ファンは、前記第２冷却風を前記第１通気口に向けてさらに送風し、
前記第１通気口と前記第２通気口とは、前記ファンが前記第２冷却風を前記第１通気口に向けて送風することにより、前記第２冷却風が前記第１通気口から取り込まれ前記第２通気口から前記筐体外に排気される第２風路を前記筐体内に形成する半導体装置。
【請求項１１】
前記第１通気口は、前記筐体内の前記回路基板の一面に実装された前記電子部品の前記回路基板からの高さが最も高い部分の半分の高さよりも上部に設けられ、
前記回路基板の前記一面における前記第２冷却風の風速は、前記電子部品上における前記第２冷却風の風速よりも小さい、請求項１０に記載の半導体装置。
【請求項１２】
前記第２通気口は、前記最も高い前記電子部品の前記半分の高さよりも上部に設けられる、請求項１１に記載の半導体装置。
【請求項１３】
前記ベース部は、前記板状の形状をなす第１辺の少なくとも一部を含んで前記一方面に設けられる段差部と、前記板状の形状をなす第２辺の少なくとも一部に前記一方面と前記他方面とを貫通する切欠き部と、を含み、
前記段差部が設けられる前記第１辺は、前記フィンの前記一端側に位置し、
前記切欠き部が設けられる前記第２辺は、前記フィンの前記他端側に位置し、
前記第１通気口は、前記段差部の少なくとも一部を含み、
前記第２通気口は、前記切欠き部の少なくとも一部を含み、
前記ファンは、前記フィンの前記一端側に、かつ、前記ファンの上端部が前記ベース部の前記段差部の底面により規定される面よりも上方に位置するよう設けられる請求項１０から請求項１２のいずれか一項に記載の半導体装置。
【請求項１４】
前記筐体内に形成される前記第２風路に設けられ、前記電子部品を冷却する電子部品用ヒートシンクをさらに備える請求項１０から請求項１３のいずれか一項に記載の半導体装置。
【手続補正２】
【補正対象書類名】明細書
【補正対象項目名】０００７
【補正方法】変更
【補正の内容】
【０００７】
本発明に係る半導体装置は、一端から他端に第１冷却風が流れる第１風路を形成するフィンと板状の形状を有するベース部とを含み、ベース部の一方面には半導体モジュールが設けられ、他方面にはフィンが立てて設けられるヒートシンクと、ベース部の一方面と、半導体モジュールと、半導体モジュールと関連して動作する電子部品と、電子部品が実装された回路基板と、を覆ってヒートシンクのベース部に取り付けられ、一方面との間に形成される空間に半導体モジュールを収容する筐体と、第１風路に第１冷却風を送風し、フィンを冷却するファンと、筐体内と筐体外とを連通し、筐体内に第２冷却風を取り込む第１通気口と、筐体内と筐体外とを連通し、筐体内に取り込まれた第２冷却風を筐体外に排気する第２通気口と、を含む。第１通気口は、筐体内の回路基板の一面に実装された電子部品の回路基板からの高さが最も高い部分の半分の高さよりも上部に設けられる。第２通気口は、筐体内におけるベース部の一方面と他方面とを貫通してなる。半導体装置は、第１冷却風の流れに起因して第２通気口に形成される筐体内と筐体外との圧力差によって、第２冷却風が第１通気口から取り込まれ第２通気口から筐体外に排気される第２風路を筐体内にさらに備える。
【国際調査報告】
2019111755.tif 000020
2019111755.tif 000021
2019111755.tif 000022
2019111755.tif 000023